(57)【要約】【課題】ユーザが認識することなくリフレッシュレートを変更できる。【解決手段】ノートＰＣ１００が、フラットパネルディスプレイ１０７上に表示される動画データの再生開始を検出する検出部３１３と、動画データの再生開始を検出した場合に、フラットパネルディスプレイ１０７の表示制御を行うピクセルクロックを変更せず、フラットパネルディスプレイ１０７に表示される水平ラインを描画した後に次の描画を行うまでの水平ブランキング期間を変更することで、フラットパネルディスプレイ１０７のリフレッシュレートを変更する変更部３１４と、変更部３１４で変更されたリフレッシュレートで、フラットパネルディスプレイ１０７の表示制御を行う表示制御部３１６と、を備える。【選択図】        図３
2010139995.tif 000002
【特許請求の範囲】
【請求項１】
表示手段上に表示される動画データの再生開始を検出する検出手段と、
前記動画データの再生開始を検出した場合に、前記表示手段の表示制御を行う動作周波数を変更せず、前記表示手段に表示される画面又は水平ラインを描画した後に次の描画を行うまでのブランキング期間を変更することで、前記表示手段のリフレッシュレートを変更する変更手段と、
前記変更手段で変更された前記リフレッシュレートで、前記表示手段の表示制御を行う制御手段と、
を備えた電子機器。
【請求項２】
前記検出手段が、２９．９７ｆｐｓ又は５９．９４ｆｐｓの前記動画データを検出し、
前記変更手段は、前記ブランキング期間を変更することで、リフレッシュレートを５９．９４Ｈｚに変更すること、
を特徴とする請求項１に記載の電子機器。
【請求項３】
前記変更手段は、さらに、前記ブランキング期間が水平ラインを描画開始するまでの水平ブランキング期間であって、水平ラインを描画している期間を示す水平有効期間と、前記水平ブランキング期間と、の和が、変更前と変更後との比率で１０００：１００１になるように、水平ブランキング期間を変更すること、
を特徴とする請求項２に記載の電子機器。
【請求項４】
前記比率になるような前記水平ブランキング期間と、前記水平有効期間とを記憶する記憶手段をさらに備え、
前記変更手段は、前記記憶手段に記憶された前記水平ブランキング期間と、前記水平有効期間とに基づいて、変更すること、
を特徴とする請求項３に記載の電子機器。
【請求項５】
前記変更手段により変更される前のブランキング期間を保存する保存手段を、さらに備え、
前記検出手段は、さらに前記動画データの再生停止を検出し、
前記変更手段は、さらに、前記検出手段が前記動画データの再生停止を検出した場合に、前記保存手段が保存する前記変更前のブランキング期間に変更すること、
を特徴とする請求項１乃至４のいずれか一つに記載の電子機器。
【請求項６】
前記表示手段として、フラットパネルディスプレイをさらに備え、
前記検出手段は、フラットパネルディスプレイ上に表示される動画データの再生を検出すること、
を特徴とする請求項１乃至５のいずれか一つに記載の電子機器。
【請求項７】
前記変更手段が、変更を行う前の前記表示手段のリフレッシュレートが６０Ｈｚであること、
を特徴とする請求項６に記載の電子機器。
【請求項８】
前記電子機器で実行される表示制御方法であって、
表示手段上に表示される動画データの再生開始を検出する検出ステップと、
前記動画データの再生開始を検出した場合に、前記表示手段の表示制御を行う動作周波数を変更せず、前記表示手段に表示される画面又は水平ラインを描画した後に次の描画を行うまでのブランキング期間を変更することで、前記表示手段のリフレッシュレートを変更する変更ステップと、
前記変更ステップで変更された前記リフレッシュレートで、前記表示手段の表示制御を行う制御ステップと、
を有する表示制御方法。
【請求項９】
前記検出ステップが、２９．９７ｆｐｓ又は５９．９４ｆｐｓの前記動画データを検出し、
前記変更ステップは、前記ブランキング期間を変更することで、リフレッシュレートを５９．９４Ｈｚに変更すること、
を特徴とする請求項８に記載の表示制御方法。
【請求項１０】
前記変更ステップは、さらに、前記ブランキング期間が水平ラインを描画開始するまでの水平ブランキング期間であって、水平ラインを描画している期間を示す水平有効期間と、前記水平ブランキング期間と、の和が、変更前と変更後との比率で１０００：１００１になるように、水平ブランキング期間を変更すること、
を特徴とする請求項９に記載の表示制御方法。
【発明の詳細な説明】
【技術分野】
【０００１】
本発明は、リフレッシュレートを変更する電子機器、及び表示制御方法に関するものである。
【背景技術】
【０００２】
従来から、コンピュータ技術の向上に伴い、ノート型のポータブルコンピュータ（以降、ノートＰＣという）の利用が増加している。このノートＰＣは、フラットパネルディスプレイを搭載し、当該フラットパネルディスプレイに対して画面情報の表示制御を行っている。
【０００３】
近年、ノートＰＣの増加に伴い、動画コンテンツをノートＰＣで鑑賞する傾向も増加している。この動画コンテンツはＮＴＳＣ方式対応動画の場合には、２９．９７ｆｐｓか５９．９４ｆｐｓである。これに対して、フラットパネルディスプレイは一般的にリフレッシュレートが６０Ｈｚである。このリフレッシュレートが６０Ｈｚのフラットパネルディスプレイに、５９．９４ｆｐｓの動画コンテンツを表示した場合に、ティアリングが生じるという問題がある。
【０００４】
そこで、特許文献１に記載された発明では、静止画と動画とを判別し、動画再生時にはその動画コンテンツのレートに同期させる技術が記載されている。
【０００５】
【特許文献１】特開２００６−９８７６５号公報
【発明の開示】
【発明が解決しようとする課題】
【０００６】
しかしながら、上記の特許文献１の従来技術では、どのような表示タイミングで動画コンテンツのレートを同期させるのか記載されていない。動画コンテンツのレートを同期させる場合には、ピクセルクロックを変更するのが一般的であるが、このような切替を行う場合には、画面がブリンクするという問題がある。
【０００７】
本発明は、上記に鑑みてなされたものであって、動画再生時にリフレッシュレートをシームレスに切り換え、画面のブリンクを抑止する電子機器、及び表示制御方法を提供することを目的とする。
【課題を解決するための手段】
【０００８】
上述した課題を解決し、目的を達成するために、本発明にかかる電子機器は、表示手段上に表示される動画データの再生開始を検出する検出手段と、前記動画データの再生開始を検出した場合に、前記表示手段の表示制御を行う動作周波数を変更せず、前記表示手段に表示される画面又は水平ラインを描画した後に次の描画を行うまでのブランキング期間を変更することで、前記表示手段のリフレッシュレートを変更する変更手段と、前記変更手段で変更された前記リフレッシュレートで、前記表示手段の表示制御を行う制御手段と、を備えた。
【０００９】
また、本発明にかかる表示制御方法は、前記電子機器で実行される表示制御方法であって、表示手段上に表示される動画データの再生開始を検出する検出ステップと、前記動画データの再生開始を検出した場合に、前記表示手段の表示制御を行う動作周波数を変更せず、前記表示手段に表示される画面又は水平ラインを描画した後に次の描画を行うまでのブランキング期間を変更することで、前記表示手段のリフレッシュレートを変更する変更ステップと、前記変更ステップで変更された前記リフレッシュレートで、前記表示手段の表示制御を行う制御ステップと、を有する。
【発明の効果】
【００１０】
本発明によれば、ユーザに認識させることなく、リフレッシュレートを変更できるという効果を奏する。
【発明を実施するための最良の形態】
【００１１】
以下に添付図面を参照して、この発明にかかる電子機器、及び表示制御方法の最良な実施の形態を詳細に説明する。後述する実施の形態では、電子機器の一形態としてノートＰＣに適用した例について説明するが、他の電子機器に適用しても良い。
【００１２】
（第１の実施の形態）
図１は、第１の実施の形態にかかるノートＰＣ１００を示す外観斜視図である。図１に示すように、ノートＰＣ１００は、筐体１０１と、この筐体１０１上に設けられたキーボード１０２と、筐体１０１にヒンジ部１０３を介して回動可能に接続されるパネル側筐体１０４と、を有している。筐体１０１は、下ケース１０１ａと上ケース１０１ｂとを有している。上ケース１０１ｂの上面前端部はパームレスト部１０５を構成し、このパームレスト部１０５のほぼ中央にはタッチパッド１０６が設けられている。また、パネル側筐体１０４の中央領域には、表示を行うフラットパネルディスプレイ１０７が設けられている。
【００１３】
ところで、ノートＰＣ１００に内蔵しているフラットパネルディスプレイ１０７のリフレッシュレートは、通常のノートＰＣと同様に６０Hzとする。ここで、２９．９７7fps又は５９．９４fpsのＮＴＳＣ方式対応動画コンテンツを再生すると、一秒間に表示するフレーム数の違いから、１６，１７秒に一度同じ絵を表示する必要があるため、ティアリングと呼ばれる現象が発生する。
【００１４】
そこで、本実施の形態にかかるノートＰＣ１００では、ティアリングが生じないように、ノートＰＣ１００の内蔵フラットパネルディスプレイ１０７で、２９．９７fps又は５９．９４fpsの動画コンテンツを再生する場合に、リフレッシュレートをシームレスに５９．９４Hzに変更する。５９．９４Hzは、元のＮＴＳＣ信号のフレームレートとまったく同じとなることを意味する。なお、実際の運用を考慮すると５９．９４Hzに近づけてもよい。つまり、ＮＴＳＣ用の動画コンテンツを再生するために最も適したリフレッシュレートであり、画質を向上させることが可能となる。また、変更するための構成及び処理手順については、後述する。
【００１５】
そして、動画コンテンツの再生の終了時に、リフレッシュレートをシームレスに５９．９４Hzから６０Hzに戻すこととする。本実施の形態では、フラットパネルディスプレイ１０７に動画コンテンツを表示する場合にシームレスにリフレッシュレートの変更手法について説明する。
【００１６】
また、本実施の形態で示す表示制御手段は、リフレッシュレートの変更が容易なＣＲＴよりも、リフレッシュレートがある程度制限されているフラットパネルディスプレイで特に有効である。
【００１７】
まずは、本実施の形態にかかるノートＰＣ１００のハードウェア構成について説明する。図２に示すように、ノートＰＣ１００は、ＣＰＵ２０１、メモリコントローラハブ（ＭＣＨ）２０２、主記憶装置（メモリ２０３）、Ｉ／Ｏコントローラハブ（ＩＣＨ）２０４、グラフィクスコントローラ（ＧＰＵ）２０５、ＢＩＯＳ−ＲＯＭ２０６、補助記憶装置（ＨＤＤ２０７）、フラットパネルディスプレイ１０７、ＨＤＭＩ(High-Definition  Multimedia  Interface)＿Ｉ／Ｆ２０８を有している。なお、図示していないが、ＩＣＨ２０４は、ＯＤＤなどの様々な装置と接続されている。さらに、補助記憶装置は、ＨＤＤ制御検出結果に制限するものではなく、様々な記憶手段を用いても良い。
【００１８】
ＣＰＵ２０１はノートＰＣ１００の動作を制御するプロセッサであり、ＨＤＤ２０７からメモリ２０３にロードされるオペレーティングシステム（ＯＳ）を実行する。また、ＣＰＵ２０１は、ＢＩＯＳ−ＲＯＭ２０６に格納されたシステムＢＩＯＳ（Basic  Input  Output  System）も実行する。また、システムＢＩＯＳはハードウェア制御のためのプログラムである。
【００１９】
また、ＢＩＯＳ−ＲＯＭ２０６は、システムＢＩＯＳの他に、フラットパネルディスプレイ１０７の表示制御を行うための複数のＥＤＩＤ(Extended  Display  Identification  Data)データ２２１を格納する。これらＥＤＩＤデータ２２１は、必要に応じてメモリ２０３上に展開される。なお、ＥＤＩＤデータ２２１には、フラットパネルディスプレイ１０７に対応しているディスプレイ・モードが記述されている。
【００２０】
メモリコントローラハブ（ＭＣＨ）２０２は、ＣＰＵ２０１のローカルバスとＩＣＨ２０４との間を接続するブリッジデバイスである。ＭＣＨ２０２には、メモリ２０３をアクセス制御するメモリコントローラも内蔵されている。また、ＭＣＨ２０２は、ＡＧＰ（Accelerated  Graphics  Port）バス、PCI  express規格のシリアルバスなどを介してグラフィクスコントローラ２０５との通信を実行する機能も有している。
【００２１】
グラフィクスコントローラ２０５は、フラットパネルディスプレイ１０７を制御する表示コントローラである。また、グラフィクスコントローラ２０５はノートＰＣ１００のディスプレイモニタとして使用されるフラットパネルディスプレイ１０７を制御する表示コントローラである。このグラフィクスコントローラ２０５は、ＯＳまたはアプリケーションプログラムから要求に従って表示信号を生成し、表示信号をフラットパネルディスプレイ１０７に転送する。
【００２２】
また、グラフィクスコントローラ２０５は、ＨＤＴＶ２５０の表示制御を行ってもよい。この場合も、同様に、ＯＳまたはアプリケーションプログラムから要求に従って表示信号を生成し、当該表示信号をＨＤＴＶ２５０に転送する。
【００２３】
グラフィクスコントローラ２０５は、ＬＶＤＳ＿Ｔｘ２３１を内蔵している。そして、ＬＶＤＳ＿Ｔｘ２３１(Low  voltage  differential  signaling  transmitter）は、ＰＬＬ回路２３２と、表示タイミング制御回路２３３とを備え、フラットパネルディスプレイ１０７に接続されている。そして、ＬＶＤＳ＿Ｔｘ２３１は、フラットパネルディスプレイ１０７に対する表示信号を生成する。
【００２４】
ＰＬＬ回路２３２は、任意のピクセルクロック（動作周波数）を生成できる。例えば、ＰＬＬ回路が６８．５MHzで動けば、ＬＶＤＳ＿Ｔｘ２３１は、６８．５MHzでＨＤＴＶ２５０又はフラットパネルディスプレイ１０７に信号を出力する。また、ＰＬＬ回路２３２は、動作周波数の変更が要求された場合に、ＬＶＤＳ＿Ｔｘ２３１が動作する周波数を切り換えることができる。
【００２５】
表示タイミング制御回路２３３は、後述するディスプレイドライバ３０３が指示する表示タイミング情報に従い、表示信号を生成する。なお、表示タイミング情報は、ＥＤＩＤデータ２２１としてＢＩＯＳ−ＲＯＭ２０６に予め保持されているものとする。
【００２６】
また、グラフィクスコントローラ２０５は、ＨＤＭＩ＿Ｉ／Ｆ２０８をさらに備える。そして、ノートＰＣ１００は、ＨＤＭＩ＿Ｉ／Ｆ２０８を介して、ＨＤＴＶ(High  Definition  TeleVision)２５０と接続されている。これにより、ノートＰＣ１００は、ＨＤＴＶ２５０に対して画面データを表示することができる。
【００２７】
メモリ２０３は、ノートＰＣ１００が起動した後、システムＢＩＯＳ及びＯＳの処理により、表示タイミング情報２１２と、ディスプレイドライバ２１１と、を保持する。ディスプレイドライバ２１１は、ＯＳの制御によりＨＤＤ２０７から読み込まれたプログラムとする。
【００２８】
表示タイミング情報２１２は、フラットパネルディスプレイ１０７の表示タイミングを設定するために、ＢＩＯＳ―ＲＯＭ２０６のＥＤＩＤデータ２２１から読み込まれ、メモリ２０３に展開された情報とする。また、表示タイミング情報２１２は、さらに、ＨＤＭＩ＿Ｉ／Ｆ２０８を介して接続されたＨＤＴＶ２５０のタイミング制御をするために、ＨＤＴＶ２５０から読み込まれ、メモリ２０３に展開された情報とする。
【００２９】
Ｉ／Ｏコントローラハブ（ＩＣＨ）２０４は、ＬＰＣ（Low  Pin  Count）バス上の各デバイス、ＰＣＩ（Peripheral  Component  Interconnect）バスに接続されている各デバイスを制御する。また、ＩＣＨ２０４は、ＨＤＤ２０７を制御するためのＩＤＥ（Integrated  Drive  Electronics）コントローラを内蔵している。
【００３０】
図３は、本実施の形態にかかるノートＰＣ１００のソフトウェア構成を示すブロック図である。図３に示すように、ＨＤＤ２０７、ＨＤＭＩ＿Ｉ／Ｆ２０８、及びフラットパネルディスプレイ１０７などのハードウェアデバイスを制御するシステムＢＩＯＳ３０１と、ＯＳ３０２と、ディスプレイドライバ３０３と、動画再生アプリケーション３０４と、で構成される。
【００３１】
システムＢＩＯＳ３０１は、ＥＤＩＤデータ２２１を備え、ＯＳ３０２等のソフトウェアの指示に従ってハードウェアを制御する。
【００３２】
ＥＤＩＤデータ２２１は、フラットパネルディスプレイ１０７の表示タイミングを設定するためのＥＤＩＤデータとする。
【００３３】
ＯＳ３０２は、ソフトウェア（例えば、動画再生アプリケーション３０４及びディスプレイドライバ３０３）の実行と、実行されたソフトウェアにハードウェア資源の提供と、を行う。
【００３４】
動画再生アプリケーション３０４は、動画コンテンツの再生を行う。動画コンテンツの読み込み先は、ＨＤＤ２０７等の記憶手段や、ネットワークを介して接続される外部装置であってもよい。また、動画再生アプリケーション３０４は、専用のアプリケーションでも良いし、ブラウザ等であっても良い。
【００３５】
ディスプレイドライバ３０３は、ＥＤＩＤ読込部３１１と、表示タイミング情報保持部３１２と、検出部３１３と、変更部３１４と、リフレッシュレート保存部３１５と、表示制御部３１６と、を備える。
【００３６】
ＥＤＩＤ読込部３１１は、フラットパネルディスプレイ１０７の表示制御を行うために必要なＥＤＩＤデータをシステムＢＩＯＳ３０１から読み込む。そして、読み込んだＥＤＩＤデータから、表示タイミング情報を生成してメモリ２０３に展開する。
【００３７】
また、ＥＤＩＤ読込部３１１は、ＨＤＴＶ２５０の表示制御を行うために必要なＥＤＩＤデータをＨＤＴＶ２５０から読み込む。そして、読み込んだＥＤＩＤデータから、表示タイミング情報を生成してメモリ２０３に展開する。
【００３８】
表示タイミング情報保持部３１２はメモリ２０３上に存在し、ＥＤＩＤ読込部３１１によりメモリ２０３に展開された表示タイミング情報を保持する。
【００３９】
ところで、ノートＰＣ１００、及びＨＤＴＶ２５０は、ＨＤＭＩケーブルを用いて接続されているが、相互接続性確保のために、業界団体によって決められた周波数で出力する事が求められている。例えばフルＨＤ解像度と呼ばれる１９２０×１０８０の場合、図４及び図５に示すように表示タイミングが規定されている。図４が、リフレッシュレート６０Hzの表示タイミング情報で、図５が５９．９４Hzの表示タイミング情報である。まずは、ＨＤＴＶ２５０用の表示タイミング情報の各パラメータについて説明する。
【００４０】
図４及び図５に示すように、表示タイミング情報は、“Ｐｉｘｅｌ  Ｃｌｏｃｋ”と、“Ｈ  Ｔｏｔａｌ”と、“Ｈ  Ａｃｔｉｖｅ”と、“Ｈ  Ｂｌａｎｋ”と、“Ｈ  ｓｙｎｃ”と、“Ｖ  Ｔｏｔａｌ”と、“Ｖ  Ａｃｔｉｖｅ”と、“Ｖ  Ｂｌａｎｋ”と、“Ｖ  ｓｙｎｃ”と、を対応付けて保持している。
【００４１】
動作周波数を示す“Ｐｉｘｅｌ  Ｃｌｏｃｋ（ピクセルクロック）”は、一秒間に描画されるピクセル数とする。例えば、ピクセルクロックが、６８．９MHzであれば、一秒間に680900000個のピクセルを描画できる。
【００４２】
“Ｈ  Ｔｏｔａｌ”は、水平一ラインに必要な期間であり、“Ｈ  Ａｃｔｉｖｅ”及び“Ｈ  Ｂｌａｎｋ”の和とする。“Ｈ  Ａｃｔｉｖｅ（水平有効期間）”は、水平１ライン分の映像を描画する期間（ピクセル数）を示している。“Ｈ  Ｂｌａｎｋ（水平ブランキング期間）”は、水平１ライン分におけるブランキング（表示処理を行わない）期間（ピクセル数）を示している。
【００４３】
“Ｈ  ｓｙｎｃ（水平周波数）”は、一秒間に描画される（水平）ライン数とする。
【００４４】
具体的には、以下に示す式（１）が成り立つ。
Ｈ  ｓｙｎｃ  ＝  Ｐｉｘｅｌ  Ｃｌｏｃｋ  ÷  （Ｈ  Ｔｏｔａｌ）  ……  （１）
【００４５】
“Ｖ  Ｔｏｔａｌ”は、一画面描画するために必要な期間であり、“Ｖ  Ａｃｔｉｖｅ”及び“Ｖ  Ｂｌａｎｋ”の和とする。“Ｖ  Ａｃｔｉｖｅ（垂直有効期間）”は、（垂直）１画面分の映像を描画する期間（（水平）ライン数）を示している。“Ｖ  Ｂｌａｎｋ（垂直ブランキング期間）”は、（垂直）１画面分におけるブランキング（表示処理を行わない）期間（（水平）ライン数）を示している。
【００４６】
“Ｖ  ｓｙｎｃ（垂直周波数）”は、一秒間に描画される画面数とする。換言すれば、“Ｖ  ｓｙｎｃ（垂直周波数）”は、リフレッシュレートを意味する。
【００４７】
具体的には、以下に示す式（２）が成り立つ。
Ｖ  ｓｙｎｃ  ＝  Ｈ  ｓｙｎｃ  ÷  （Ｖ  Ｔｏｔａｌ）  ……  （２）
【００４８】
これら“Ｈ  Ａｃｔｉｖｅ（水平有効期間）”と、“Ｈ  Ｂｌａｎｋ（水平ブランキング期間）”と、“Ｖ  Ａｃｔｉｖｅ（垂直有効期間）”、及び“Ｖ  Ｂｌａｎｋ（垂直ブランキング期間）”の関係について説明する。図６は、これらパラメータの概念を示した図である。図６に示すように、水平有効期間６０１は、フラットパネルディスプレイ１０７の１水平ラインを描画するための期間（ピクセル数）である。例えば、解像度が１９２０×１０８０の場合、水平有効期間６０１は、１９２０ピクセルに固定される。一方、水平ブランキング期間６０２は、次の水平ラインを描画するために準備を行う期間であり、当該期間は必要に応じてある程度変更できる。
【００４９】
また、垂直有効期間６０３は、フラットパネルディスプレイ１０７の一画面を描画するための期間（ライン数）である。例えば、解像度が１９２０×１０８０の場合、垂直有効期間６０３は、１０８０ラインに固定される。一方、垂直ブランキング期間６０４は、次の画面を描画するために準備を行う期間であり、当該期間は必要に応じてある程度変更できる。
【００５０】
図４及び図５に示す表示タイミングは、共に解像度１９２０×１０８０の表示タイミング情報であるが、ピクセルクロック、及びリフレッシュレートなどのパラメータが異なる。具体的に、異なるパラメータは、“Ｐｉｘｅｌ  Ｃｌｏｃｋ”、“Ｈ  ｓｙｎｃ”、及び“Ｖ  ｓｙｎｃ”とする。
【００５１】
なお、図５の“Ｖ  ｓｙｎｃ”は、厳密には、５９．９４Hzではない。そして、ＮＴＳＣの動画コンテンツは、２９．９７００２９…（５９．９４００５９９４００…／２）fpsで再生される場合に、当該動画コンテンツの再生とリフレッシュレートとが全く同じタイミングでは無い事を意味する。
【００５２】
ところで、ＨＤＴＶ２５０における５９．９４Hzと６０Hzとの２つのリフレッシュレートの違いは、動作周波数“Ｐｉｘｅｌ  Ｃｌｏｃｋ”から生じるものである。６０Hz時にピクセルクロックが１４８．５０MHzで、５９．９４Hz時はピクセルクロックが１４８．３５MHzに設定されている。これは、業界団体により規定されているため、変更することができない。
【００５３】
そして、動作周波数“ピクセルクロック”を変更する場合、表示出力信号を停止しなければならないため画面がブリンクして見える。これにより、ユーザがリフレッシュレートの変更に気づくという問題が生じる。つまり、“ピクセルクロック”を変更することなく、リフレッシュレートを変更すれば、ユーザが当該リフレッシュレートの変更に気づくことをなく、表示制御を行うことができる。
【００５４】
これに対し、フラットパネルディスプレイ１０７は、ＨＤＭＩケーブルで接続されたものではなく、ノートＰＣ１００に内蔵しているため、上述した規程に従わなくて良い。つまり、グラフィクスコントローラ２０５と、内蔵されたフラットパネルディスプレイ１０７との間は、ノートＰＣ１００内部で完結しているため、フラットパネルディスプレイ１０７の仕様の範囲内で表示タイミングを設定することが可能である。そこで、本実施の形態にかかるノートＰＣ１００では、設計、開発時に表示タイミングを決定し、当該表示タイミングでグラフィクスコントローラ２０５が、フラットパネルディスプレイ１０７の表示制御を行う。
【００５５】
そこで、本実施の形態では、“ピクセルクロック”を変更せず、ブランキング期間を変更することで、リフレッシュレートの変更を行うこととした。次に、図３に戻り、ノートＰＣ１００の各構成について具体的に説明する。
【００５６】
検出部３１３は、フラットパネルディスプレイ１０７上に表示される動画コンテンツの再生開始を検出する。さらに、検出部３１３は、フラットパネルディスプレイ１０７上に表示されていた動画コンテンツの再生停止の検出も行う。当該検出結果に従って、リフレッシュレートを変更する。例えば、検出部３１３による動画コンテンツの再生開始の検出では、動画再生アプリケーション３０４から動画コンテンツの再生開始の通知を検出しても良い。
【００５７】
また、本実施の形態にかかる検出部３１３が再生開始を検出する動画コンテンツは、２９．９７ｆｐｓ又は５９．９４fpsのみを検出する。そして、これら動画コンテンツを検出した場合に、変更部３１４が、リフレッシュレートを、５９．９４Hzに変更する。
【００５８】
変更部３１４は、検出部３１３が動画コンテンツの再生開始を検出した場合に、動作周波数を変更せず、ブランキング期間（水平ブランキング期間又は垂直ブランキング期間）のみ、動画コンテンツの再生用に予め定められた設定値（本実施の形態では５９．９４Hzとする）に変更する。このブランキング期間の変更のみで、変更部３１４は、リフレッシュレートの変更を行う。この際、変更部３１４は、変更前の設定値をリフレッシュレート保存部３１５に登録する。
【００５９】
つまり、本実施の形態にかかるノートＰＣ１００で、動作周波数“ピクセルクロック”を変更せずにリフレッシュレートを、６０Hzから５９．９４Hzに変更する際に、解像度の変更を行うものではないので、垂直有効期間及び水平有効変更期間を変更することができない。これを考慮し、上述した式（１）及び式（２）を満たした上で、リフレッシュレートを変更する必要がある。
【００６０】
そこで、本実施の形態にかかるノートＰＣ１００では、ブランキング期間（水平ブランキング期間及び垂直ブランキング期間）のみ変更することで、リフレッシュレートの変更を行うこととした。
【００６１】
また、変更部３１４は、検出部３１３が動画コンテンツの再生停止を検出した場合に、リフレッシュレート保存部３１５が保存していた、動画再生前のブランキング期間に変更する。そして、本実施の形態の変更部３１４では、リフレッシュレートを変更するために、水平ブランキング期間を変更する。
【００６２】
図７は、水平ブランキング期間の変更の概念を表した説明図である。図７に示すように、本実施の形態では、変更部３１４が、リフレッシュレートが５９．９４Hzと６０Hzとをシームレスで切り換えられるように、水平ブランキング期間を変更する。
【００６３】
図７に示すように、本実施の形態では、６０Hzを５９．９４Hzにするために、水平ブランキング期間を長くしている。これにより“Ｈ  Ｔｏｔａｌ”が大きくなり、式（１）及び式（２）により、リフレッシュレートを短縮することができる。
【００６４】
図８及び図９は、フラットパネルディスプレイ１０７を表示制御するための表示タイミング情報の例を示した図である。各パラメータ名については、図４及び図５と同様として、説明を省略する。
【００６５】
図８及び図９ともに、“Ｐｉｘｅｌ  Ｃｌｏｃｋ”を１３５ＭＨｚに設定し、図８に示す６０Hzでは、水平ブランキング期間“Ｈ  Ｂｌａｎｋ”を８０に設定し、図９に示す５９．９４Hzでは、水平ブランキング期間“Ｈ  Ｂｌａｎｋ”を８２に設定した。
【００６６】
これにより、６０Hzの“Ｈ  Ｔｏｔａｌ”が“２０００”となり、５９．９４Hzの“Ｈ  Ｔｏｎａｌ”が“２００２”となる。すなわち、６０Hzと５９．９４Hｚとの“Ｈ  Ｔｏｔａｌ”における比率が１０００：１００１となる。これらと、ピクセルクロック“１３５”とにより、ピクセルクロックを変更せずとも、リフレッシュレートを、６０Hzと５９．９４Hzとを切り換えることができる。
【００６７】
このように、本実施の形態においては、表示タイミング６０Hzと５９．９４Hｚの“Ｈ  Ｔｏｔａｌ”が上述した値（比率）になるように、表示タイミング情報の各パラメータ値を設定した。なお、本実施の形態では、解像度１９２０×１０８０の場合について説明したが、他の解像度についても同様に、ブランキング期間を調整することで、ピクセルクロックを変更せずとも、リフレッシュレートを変更することができる。
【００６８】
このように、ブランキング期間の変更のみ行っているので、ユーザに意識させることなく、リフレッシュレートの変更を可能としている。
【００６９】
上述したように、本実施の形態では、“Ｈ  Ｔｏｔａｌ”が１０００の整数倍になるように、水平ブランキング期間の値を設定した上で、他の表示タイミングのパラメータ（例えばピクセルクロック等）を調整し、リフレッシュレートを６０Hzに設定した。このような表示タイミング情報を生成するためのＥＤＩＤデータ２２１を、予めＢＩＯＳ−ＲＯＭ２０６に格納しておく。そして、必要に応じてＥＤＩＤ読込部３１１が、これらＥＤＩＤデータ２２１の読み込みを行うものとする。
【００７０】
また、変更部３１４によるリフレッシュレートを含む表示タイミングの変更は、水平又は垂直ブランキング期間中に行うものとする。
【００７１】
そして、検出部３１３が、動画再生を検出した場合に、水平ブランキング期間の値のみ増加させて、“Ｈ  Ｔｏｔａｌ”の整数倍にすることで、リフレッシュレートを５９．９４Hzにすることができる。
【００７２】
リフレッシュレート保存部３１５は、変更部３１４により変更される前のブランキング期間を含む表示タイミング情報を保存する。そして、検出部３１３が動画コンテンツの再生停止を検出した場合に、変更部３１４が、当該表示タイミング情報を読み出して、元の表示タイミングに変更する。
【００７３】
表示制御部３１６は、フラットパネルディスプレイ１０７の表示制御を行う。本実施の形態にかかる表示制御部３１６は、設定された表示タイミング情報でフラットパネルディスプレイ１０７を制御する。
【００７４】
そして、検出部３１３が動画コンテンツの再生を検出し、変更部３１４がリフレッシュレートを変更した場合に、表示制御部３１６は、変更されたリフレッシュレートで、フラットパネルディスプレイ１０７の表示制御を行う。これにより、ユーザにリフレッシュレートの変更を認識させることなく、６０Hzから５９．９４Hzに切り換えることができる。
【００７５】
本実施の形態にかかるノートＰＣ１００では、動画コンテンツが２９．９７ｆｐｓ又は５９．９４ｆｐｓのＮＴＳＣ方式の動画コンテンツの場合について説明したが、動画データをこれらに制限するものではなく、動画データの１秒間に表示されるフレーム数に応じて、ブランキング期間を変更し、フレームレートを変更できればよい。このようにブランキング期間の変更でフレームレートを変更することで、シームレスに表示タイミングを変更できる。
【００７６】
また、ＨＤＴＶ２５０の場合には、規格で定まっているために、動画コンテンツの一秒間に表示するフレーム数と、フレームレートとを一致させることができなかった。これに対し、本実施の形態にかかるノートＰＣ１００のフラットパネルディスプレイ１０７では、ＮＴＳＣ方式対応の動画コンテンツの２９．９７ｆｐｓの２倍又は、５９．９４fpsと完全に一致するフレームレート５９．９４Ｈｚで表示制御を行うことでできるので、ティアリングを抑えることができる。
【００７７】
次に、ノートＰＣ１００における、動画コンテンツ再生の際のリフレッシュレートの変更手順について説明する。図１０は、ノートＰＣ１００における上述した処理手順を示すフローチャートである。
【００７８】
まず、検出部３１３は、動画再生アプリケーション３０４による動画コンテンツの再生開始を検出する（ステップＳ１００１）。
【００７９】
そして、変更部３１４が、現在表示制御に用いているリフレッシュレートを含む表示タイミング情報を取得する（ステップＳ１００２）。なお、動画コンテンツの再生開始前は、通常、リフレッシュレートは、６０Hzに設定されている。
【００８０】
その後、変更部３１４が、取得したリフレッシュレートが５９．９４Hzか否か判定する（ステップＳ１００３）。そして、リフレッシュレートが、５９．９４Hzの場合（ステップＳ１００３：Ｙｅｓ）、処理を行わずに終了する。
【００８１】
一方、リフレッシュレートが５９．９４Hzでないと判定された場合（ステップＳ１００３：Ｎｏ）、変更部３１４は、現在のリフレッシュレートを含む表示タイミング情報を、リフレッシュレート保存部３１５に保存する（ステップＳ１００４）。
【００８２】
そして、変更部３１４が、水平ブランキング期間を変更することで、リフレッシュレートを５９．９４Hzに変更する（ステップＳ１００５）。
【００８３】
その後、表示制御部３１６が、変更された（水平ブランキング期間に基づく）リフレッシュレートでフラットパネルディスプレイ１０７の表示制御を行う（ステップＳ１００６）。
【００８４】
さらに、その後、検出部３１３が、動画コンテンツの再生停止を検出する（ステップＳ１００７）。そして、変更部３１４が、リフレッシュレート保存部３１５に保存されていた、リフレッシュレートを含む表示タイミング情報を読み出して、当該表示タイミング情報に戻す（ステップＳ１００８）。このリフレッシュレートの変更もブランキング期間の変更により行われることになる。
【００８５】
そして、表示制御部３１６が、戻されたリフレッシュレートを含む表示タイミングで、表示制御を行う（ステップＳ１００９）。
【００８６】
なお、本実施の形態では、上述した表示制御をディスプレイドライバ３０３で行った例について説明したが、表示制御可能なプログラム等であればよい。
【００８７】
なお、本実施の形態にかかるノートＰＣ１００では、水平ブランキング期間を変更した例について説明するが、垂直ブランキング期間で同様の変更を行ってもよい。また、本実施の形態では、リフレッシュレートを６０Hzから５９．９４Hzに変更する例について説明したが、リフレッシュレートを６０Hzから５９．９４Hzに変更するものに制限せず、動画データの一秒あたりのフレーム数に応じて変更するものであればよい。
【００８８】
上述した実施の形態では、１９２０×１０８０の場合の表示タイミングについて説明したが、上述したように、動作周波数“Ｐｉｘｅｌ  Ｃｌｏｃｋ”を変更せずに、ブランキング期間を変更して、リフレッシュレートを変更するのであればよく、解像度に制限を設けるものではない。
【００８９】
また、本実施の形態にかかるノートＰＣ１００において、通常設定されているリフレッシュレートである６０Hzから、ＮＴＳＣ方式対応の動画コンテンツを再生した場合のみ、リフレッシュレートを５９．９４Ｈｚに変更する。これにより、ティアリングを抑えることができる。
【００９０】
このリフレッシュレートを変更する場合に、水平ブランキング期間を変更することで、リフレッシュレートの５９．９４Hzへの変更と、動画停止時の６０Hzへの変更とを、ユーザに意識させることなく、シームレスに行うことが可能となる。
【００９１】
本実施の形態のノートＰＣ１００では、変更部３１４による水平ブランキング期間の変更後のリフレッシュレートが５９．９４Hzで、ＮＴＳＣ方式対応の動画コンテンツの２９．９７ｆｐｓの２倍又は５９．９４ｆｐｓと一致するため、ティアリングを抑えることが可能となった。これは、例えば、業界標準規格の１９２０×１０８０のリフレッシュレートは、上述したように５９．９４Hzの近似値であり、厳密に一致しないため、完全にティアリングを抑えることができない場合と比べ、本実施の形態では、より画質が向上するというメリットが生じる。
【００９２】
また、上述した各実施の形態に限定されるものではなく、以下に例示するような種々の変形が可能である。
【００９３】
（変形例１）
上述した第１の実施の形態では、ノートＰＣ１００に内蔵されたフラットパネルディスプレイ１０７のリフレッシュレートを変更する場合について説明した。しかしながら、ノートＰＣ１００に内蔵されたフラットパネルディスプレイ１０７に制限するものではなく、外部モニタに適用することもできる。
【００９４】
このような適用を行うための例としては、外部モニタを製造するベンダーが、上述した表示タイミングをサポートした外部モニタを提供する等が考えられる。
【００９５】
つまり、上述したブランキング期間の変更によるリフレッシュレート変更機能を有した外部モニタであれば良く、例えばＣＲＴであっても良い。また、接続手法もＤＶＩ、ＤｉｓｐｌａｙＰｏｒｔ、又はＨＤＭＩなど様々な接続手法が考えられる。
【００９６】
本実施の形態のノートＰＣ１００で実行されるディスプレイドライバ３０３は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００９７】
また、本実施形態のノートＰＣ１００で実行されるディスプレイドライバ３０３を、インターネット等のネットワークに接続されたコンピュータ上に格納し、ネットワーク経由でダウンロードさせることにより提供するように構成しても良い。また、本実施の形態のノートＰＣ１００で実行されるディスプレイドライバ３０３をインターネット等のネットワーク経由で提供または配布するように構成しても良い。
【００９８】
また、本実施の形態のノートＰＣ１００で実行されるディスプレイドライバ３０３を、ＲＯＭ等に予め組み込んで提供するように構成してもよい。
【００９９】
本実施の形態のノートＰＣ１００で実行されるディスプレイドライバ３０３は、上述した各部（ＥＤＩＤ読込部、検出部、変更部、表示制御部）を含むモジュール構成となっており、実際のハードウェアとしてはＣＰＵ２０１が上記記憶媒体からディスプレイドライバ３０３を読み出して実行することにより上記各部がメモリ２０３上にロードされ、ＥＤＩＤ読込部、検出部、変更部、表示制御部がメモリ２０３上に生成されるようになっている。
【図面の簡単な説明】
【０１００】
【図１】第１の実施の形態にかかるノートＰＣ１００を示す外観斜視図である。
【図２】第１の実施の形態にかかるノートＰＣ１００のハードウェア構成図である。
【図３】第１の実施の形態にかかるノートＰＣ１００のソフトウェア構成を示すブロック図である。
【図４】ＨＤＴＶを表示制御するための表示タイミングの第１の例を示した図である。
【図５】ＨＤＴＶを表示制御するための表示タイミングの第２の例を示した図である。
【図６】画面を表示するための表示タイミングを構成する各パラメータを表した概念図である。
【図７】水平ブランキング期間の変更の概念を表した説明図である。
【図８】フラットパネルディスプレイを表示制御するための表示タイミングの第１の例を示した図である。
【図９】フラットパネルディスプレイを表示制御するための表示タイミングの第２の例を示した図である。
【図１０】ノートＰＣ１００における、動画コンテンツ再生の際のリフレッシュレートの変更手順を示すフローチャートである。
【符号の説明】
【０１０１】
１００  ノートＰＣ
１０１  筐体
１０１ａ  下ケース
１０１ｂ  上ケース
１０２  キーボード
１０３  ヒンジ部
１０４  パネル側筐体
１０５  パームレスト部
１０６  タッチパッド
１０７  フラットパネルディスプレイ
２０１  ＣＰＵ
２０２  ＭＣＨ
２０３  メモリ
２０４  ＩＣＨ
２０５  グラフィクスコントローラ
２０６  ＢＩＯＳ−ＲＯＭ
２０７  ＨＤＤ
２０８  ＨＤＭＩ＿Ｉ／Ｆ
２１１  ディスプレイドライバ
２１２  表示タイミング情報
２２１  ＥＤＩＤデータ
２３１  ＬＶＤＳ＿Ｔｘ
２３２  ＰＬＬ回路
２３３  表示タイミング制御回路
３０１  システムＢＩＯＳ
３０２  ＯＳ
３０３  ディスプレイドライバ
３０４  動画再生アプリケーション
３１１  ＥＤＩＤ読込部
３１２  表示タイミング情報保持部
３１３  検出部
３１４  変更部
３１５  リフレッシュレート保存部
３１６  表示制御部
【図１】
2010139995.tif 000003
【図２】
2010139995.tif 000004
【図３】
2010139995.tif 000005
【図４】
2010139995.tif 000006
【図５】
2010139995.tif 000007
【図６】
2010139995.tif 000008
【図７】
2010139995.tif 000009
【図８】
2010139995.tif 000010
【図９】
2010139995.tif 000011
【図１０】
2010139995.tif 000012
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
表示手段上に表示される動画データの再生開始を検出する検出手段と、
前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを変更する変更手段と、
前記変更手段で変更された前記リフレッシュレートで、前記表示手段の表示制御を行う制御手段と、
を備えた電子機器。 
【請求項２】
前記検出手段が、２９．９７ｆｐｓ又は５９．９４ｆｐｓの前記動画データを検出し、
前記変更手段は、前記水平ブランキング期間を変更することで、リフレッシュレートを５９．９４Ｈｚに変更すること、
を特徴とする請求項１に記載の電子機器。 
【請求項３】
前記比率になるような前記水平ブランキング期間と、前記水平有効期間とを記憶する記憶手段をさらに備え、
前記変更手段は、前記記憶手段に記憶された前記水平ブランキング期間と、前記水平有効期間とに基づいて、変更すること、
を特徴とする請求項１又は２に記載の電子機器。 
【請求項４】
前記変更手段により変更される前の水平ブランキング期間を保存する保存手段を、さらに備え、
前記検出手段は、さらに前記動画データの再生停止を検出し、
前記変更手段は、さらに、前記検出手段が前記動画データの再生停止を検出した場合に、前記保存手段が保存する前記変更前の水平ブランキング期間に変更すること、
を特徴とする請求項１乃至３のいずれか一つに記載の電子機器。 
【請求項５】
前記表示手段として、フラットパネルディスプレイをさらに備え、
前記検出手段は、フラットパネルディスプレイ上に表示される動画データの再生を検出すること、
を特徴とする請求項１乃至４のいずれか一つに記載の電子機器。 
【請求項６】
前記変更手段が、変更を行う前の前記表示手段のリフレッシュレートが６０Ｈｚであること、
を特徴とする請求項５に記載の電子機器。 
【請求項７】
電子機器で実行される表示制御方法であって、
表示手段上に表示される動画データの再生開始を検出する検出ステップと、
前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを変更する変更ステップと、
前記変更ステップで変更された前記リフレッシュレートで、前記表示手段の表示制御を行う制御ステップと、
を有する表示制御方法。 
【請求項８】
前記検出ステップが、２９．９７ｆｐｓ又は５９．９４ｆｐｓの前記動画データを検出し、
前記変更ステップは、前記水平ブランキング期間を変更することで、リフレッシュレートを５９．９４Ｈｚに変更すること、
を特徴とする請求項７に記載の表示制御方法。 
【手続補正２】
【補正対象書類名】明細書
【補正対象項目名】０００８
【補正方法】変更
【補正の内容】
【０００８】
上述した課題を解決し、目的を達成するために、本発明にかかる電子機器は、表示手段上に表示される動画データの再生開始を検出する検出手段と、前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを変更する変更手段と、前記変更手段で変更された前記リフレッシュレートで、前記表示手段の表示制御を行う制御手段と、を備えた。
【手続補正３】
【補正対象書類名】明細書
【補正対象項目名】０００９
【補正方法】変更
【補正の内容】
【０００９】
また、本発明にかかる表示制御方法は、電子機器で実行される表示制御方法であって、
表示手段上に表示される動画データの再生開始を検出する検出ステップと、前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを変更する変更ステップと、前記変更ステップで変更された前記リフレッシュレートで、前記表示手段の表示制御を行う制御ステップと、を有する。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
表示手段上に表示される、２９．９７ｆｐｓ又は５９．９４ｆｐｓの動画データの再生開始を検出する検出手段と、
前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを５９．９４Ｈｚに変更する変更手段と、
前記変更手段で変更された前記リフレッシュレートで、前記表示手段の表示制御を行う制御手段と、
を備えた電子機器。 
【請求項２】
前記比率になるような前記水平ブランキング期間と、前記水平有効期間とを記憶する記憶手段をさらに備え、
前記変更手段は、前記記憶手段に記憶された前記水平ブランキング期間と、前記水平有効期間とに基づいて、変更すること、
を特徴とする請求項１に記載の電子機器。 
【請求項３】
前記変更手段により変更される前の水平ブランキング期間を保存する保存手段を、さらに備え、
前記検出手段は、さらに前記動画データの再生停止を検出し、
前記変更手段は、さらに、前記検出手段が前記動画データの再生停止を検出した場合に、前記保存手段が保存する前記変更前の水平ブランキング期間に変更すること、
を特徴とする請求項１又は２に記載の電子機器。 
【請求項４】
前記表示手段として、フラットパネルディスプレイをさらに備え、
前記検出手段は、フラットパネルディスプレイ上に表示される動画データの再生を検出すること、
を特徴とする請求項１乃至３のいずれか一つに記載の電子機器。 
【請求項５】
前記変更手段が、変更を行う前の前記表示手段のリフレッシュレートが６０Ｈｚであること、
を特徴とする請求項４に記載の電子機器。 
【請求項６】
電子機器で実行される表示制御方法であって、
表示手段上に表示される、２９．９７ｆｐｓ又は５９．９４ｆｐｓの動画データの再生開始を検出する検出ステップと、
前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを５９．９４Ｈｚに変更する変更ステップと、
前記変更ステップで変更された前記リフレッシュレートで、前記表示手段の表示制御を行う制御ステップと、
を有する表示制御方法。 
【手続補正２】
【補正対象書類名】明細書
【補正対象項目名】０００８
【補正方法】変更
【補正の内容】
【０００８】
上述した課題を解決し、目的を達成するために、本発明にかかる電子機器は、表示手段上に表示される、２９．９７ｆｐｓ又は５９．９４ｆｐｓの動画データの再生開始を検出する検出手段と、前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを５９．９４Ｈｚに変更する変更手段と、前記変更手段で変更された前記リフレッシュレートで、前記表示手段の表示制御を行う制御手段と、を備えた。
【手続補正３】
【補正対象書類名】明細書
【補正対象項目名】０００９
【補正方法】変更
【補正の内容】
【０００９】
また、本発明にかかる表示制御方法は、電子機器で実行される表示制御方法であって、表示手段上に表示される、２９．９７ｆｐｓ又は５９．９４ｆｐｓの動画データの再生開始を検出する検出ステップと、前記動画データの再生開始を検出した場合に、前記表示手段の表示制御を行う動作周波数を変更せず、前記表示手段に水平ラインを描画した後に次の水平ラインを描画開始するまでの水平ブランキング期間と、水平ラインを描画している期間を示す水平有効期間と、の和が、変更前と変更後との比率で１０００：１００１になるように、当該水平ブランキング期間を変更することで、前記表示手段のリフレッシュレートを５９．９４Ｈｚに変更する変更ステップと、前記変更ステップで変更された前記リフレッシュレートで、前記表示手段の表示制御を行う制御ステップと、を有する。